(57)【特許請求の範囲】
【請求項１】
所定形状に形成された持ち手と、この持ち手の先端部から折り返して形成されたガイド部と、この両者間に形成された挿入溝と、この挿入溝内に配置されてその開口部側に刃部が向いている第１の切断刃とを備えたカッターであって、
前記ガイド部は、前記先端部の左右方向に所定の開き角度をもって延設された左右一対のガイドプレートを有し、
前記両ガイドプレートの接合部の内周面から先端側が突出する第２の切断刃を設けたことを特徴とするカッター。
【請求項２】
前記両ガイドプレートが、９０度の開き角度をもって左右方向に延設されていることを特徴とする請求項１記載のカッター。
【請求項３】
前記両切断刃が一体形成され、その基端側が前記持ち手の先端部の内部に埋設されている一方、その先端側が前記両ガイドプレートの接合部の内周面から突出していることを特徴とする請求項１〜２記載のカッター。
【請求項４】
前記両ガイドプレートの接合部に貫通孔を形成する一方、前記持ち手に前記切断刃の先端部を前記貫通孔から突出させるスライド機構を設けたことを特徴とする請求項３記載のカッター。
【請求項５】
前記スライド機構は、横断面コ字状のスライドホルダーと、前記スライドホルダー内に前後にスライド可能に配置されたスライダーとを備え、
前記スライダーは、前記切断刃の基端部が取り付けられているとともに、上面が前記スライドホルダーから露呈しており、
前記スライダーを前後にスライドさせて、前記切断刃の先端部を前記貫通孔から突出可能なことを特徴とする請求項４記載のカッター。
【請求項６】
前記スライダーの上面に、スリップ防止用の摩擦溝を設けたことを特徴とする請求項５記載のカッター。
【請求項７】
所定形状の持ち手の先端部から折り返して形成されたガイド部と、この両者間に形成された挿入溝と、この挿入溝内に配置されて開口部側に刃部が向いている切断刃と、前記先端部の左右方向に横断Ｌ字状に延設された左右一対のガイド板とを備え、前記切断刃の先端が前記ガイド板の内周面から突出しているカッターを、収納固定するホルダーであって、
前記収納部は、所定形状に形成された背板と、この背板の下端部に垂直に延設された底板と、この底板の外周縁に周設された周板とにより構成されているとともに、
前記両ガイドプレートを収容保持する保持部と、前記持ち手を収容固定する固定部とを有し、
前記保持部の周壁の高さが、前記両ガイドプレートの上端部から前記挿入溝の底面までの距離よりも小さく設定されて、収納時に前記挿入溝の底面に配置された刃面が前記保持部から露呈することを特徴とするホルダー。
【請求項８】
前記背板の前記周板との反対側に、固着部材を設けたことを特徴とする請求項７記載のホルダー。
【発明の詳細な説明】
【０００１】
【発明の属する技術分野】
本発明は、主として牛乳やジュースなどの紙パック類を切断して板状に展開ときに使用するカッター及びその固定用ホルダーに関する。
【０００２】
【従来の技術】
近年、牛乳パック，ジュースのパック，ミネラルウオーターのパック，酒パック及び醤油やソースなどの紙パック類は、市場に大量に出回っており、現在でも、急激に増加しつつある。
【０００３】
この紙パック類は、その原料が品質の高い天然パルプであって、新聞や雑誌の古紙より良好なパルプであるにもかかわらず、その回収率は１％にも満たなく、きわめて低い回収率となっている。
【０００４】
その回収率の低い理由の一つに、紙パックはボックス状の原形のままでは、古紙回収業者に供出することができないため、その箱体を、はさみやカッターなどによって、切断して板状に開かなければならなく、濡れたまま切断すると非常に切りにくく、かつ怪我をする危険があったことが挙げられる。
【０００５】
そこで、図２１に示すように、板状の持ち手１の先端から湾曲した頭部２を連続形成し、この頭部２の湾曲した内周面に、切断刃４を設けたカッター５が提案されている。このカッター５は、特開２０００−２８８２７０に開示されている。
【０００６】
【発明が解決しようとする課題】
しかしながら、前記カッター５は、持ち手１を持って、紙パックの開口端部のコーナー部に切断刃５の刃部６を当接させた状態で手前に引いて、紙パックをコーナー部に沿って垂直に切断しようとするものであるが、紙パックの切妻型頂部を切断することができず、事前に紙パックの下端部を開封しておかなければならない。
【０００７】
ところが、紙パックの下端部は、そのヒートシール強度が強いため、この部分を手によって開封するのは困難であり、結局は、カッターナイフや包丁などを用いて、ここを切断開封しなければならない。したがって、やはり怪我を負う危険性が残り、かつ切断の作業効率を向上させることもできず、この点で紙パックの回収率の向上への貢献度が少ない。
【０００８】
【課題を解決するための手段】
本発明は、前記従来の実情に鑑み、発明されたもので、所定形状に形成された持ち手と、この持ち手の先端部から折り返して形成されたガイド部と、この両者間に形成された挿入溝と、この挿入溝内に配置されてその開口部側に刃部が向いている第１の切断刃とを備えたカッターであって、前記ガイド部は、前記先端部の左右方向に所定の開き角度をもって延設された左右一対のガイドプレートを有し、前記両ガイドプレートの接合部の内周面から先端側が突出する第２の切断刃を設けたことを特徴としている。
【０００９】
請求項２記載の発明は、前記両ガイドプレートが、９０度の開き角度をもって左右方向に延設されていることを特徴としている。
【００１０】
請求項３記載の発明は、前記両切断刃が一体形成され、その基端側が前記持ち手の先端部の内部に埋設されている一方、その先端側が前記両ガイドプレートの接合部の内周面から突出していることを特徴としている。
【００１１】
請求項１〜３記載の発明によれば、紙パックを切断展開する際には、まず、カッターの持ち手を握って、両ガイドプレートにより紙パックの上下端部のコーナー部を保持しつつ、一方のガイドプレートの内周面を、紙パックの上板又は底板の外周面に摺接させるとともに、他方のガイドプレートの内周面を紙パックの側板の外周面に摺接させる。
【００１２】
このとき切断刃の先端部は、両ガイドプレートの接合部の内周面から突出しているため、その刃部が紙パックの上下端部のコーナー部（上板又は底板と側板との接合部）に突き刺さる。
【００１３】
したがって、持ち手の先端部を上から押さえながら、手前に引くと切断刃の先端部の刃部によって、紙パックの底板と側板とが順次切断され、これにより紙パックの上下端部が開封される。
【００１４】
つぎに、カッターの持ち手を持って、紙パックの開口上端部又は開口下端部のコーナー部を、挿入溝内に挿入して、紙パックの上下端開口部を、切断刃の中央部の刃部に当接させる。
【００１５】
この状態のまま、持ち手を手前に引くと、切断刃の中央部の刃部によって、紙パックの左右の側板がコーナー部に沿って垂直に切断され、この作業を紙パックの各コーナー部に対して行い、これにより紙パックが切断展開される。
【００１６】
請求項４記載の発明は、前記両ガイドプレートの接合部に貫通孔を形成する一方、前記持ち手に前記切断刃の先端部を前記貫通孔から突出させるスライド機構を設けたことを特徴としている。
【００１７】
請求項５記載の発明は、前記スライド機構は、横断面コ字状のスライドホルダーと、前記スライドホルダー内に前後にスライド可能に配置されたスライダーとを備え、前記スライダーは、前記切断刃の基端部が取り付けられているとともに、上面が前記スライドホルダーから露呈しており、前記スライダーを前後にスライドさせて、前記切断刃の先端部が前記貫通孔から突出可能なことを特徴としている。
【００１８】
請求項４及び５記載の発明によれば、必要に応じて切断刃の先端部を両ガイドプレートの接合部の貫通孔から自在に突出可能なため、紙パックの下端部を開封する際には、切断刃の先端部を両ガイドプレートの接合部の貫通孔から突出させて、紙パックの下端部の底板と側板とを切断することができる。
【００１９】
一方、カッターを使用しないときや、紙パックの左右の側板を切断展開するときなどは、切断刃の先端部を両ガイドプレートの接合部の貫通孔内に収納させることができる。
【００２０】
請求項６記載の発明は、前記スライダーの上面に、スリップ防止用の摩擦溝を設けたことを特徴としている。
【００２１】
この発明によれば、スライダーの上面にスリップ防止用の摩擦溝が形成されているため、その上面の摩擦抵抗が向上する。
【００２２】
請求項７記載の発明は、所定形状の持ち手の先端部から折り返して形成されたガイド部と、この両者間に形成された挿入溝と、この挿入溝の底面に配置されて開口部側に刃部が向いている切断刃と、前記先端部の左右方向に横断Ｌ字状に延設された左右一対のガイド板とを備え、前記切断刃の先端が前記ガイド板の内周面から突出している紙パック用のカッターを、収納固定するホルダーであって、前記収納部は、所定形状に形成された背板と、この背板の下端部に垂直に延設された底板と、この底板の外周縁に周設された周板とにより構成されているとともに、前記両ガイドプレートを収容保持する保持部と、前記持ち手を収容固定する固定部とを有し、前記保持部の周壁の高さが、前記両ガイドプレートの上端部から前記挿入溝の底面までの距離よりも小さく設定されて、収納時に前記挿入溝の底面に配置された刃面が前記保持部から露呈することを特徴としている。
【００２３】
この発明によれば、挿入溝の底面に配置された切断刃が、保持部の周壁の上端面から露出しているため、紙パック以外の所定の容器容器や紐などを切断開封でき、これによりカッターを多機能的に使用できる。
【００２４】
請求項８記載の発明は、前記背板の前記周板との反対側に、固着部材を設けたことを特徴としている。
【００２５】
この発明によれば、固着部材によってホルダーを台所の冷蔵庫や流し台などに固着可能なため、ここに固着した状態で、カッターを多機能に使用できる。
【００２６】
【発明の実施の形態】
以下、本発明の実施の形態を、図面に基づき詳述する。図１〜図７は、本発明の第１実施形態に係るカッター１０を示している。このカッター１０は、図４に示すようなボックス状の紙パック１１（例えば、牛乳パック，ジュースのパック，ミネラルウオーターのパック，酒パック及び醤油やソースなどのパック）の切断展開に使用される。
【００２７】
前記カッター１０は、図１〜図３に示すように、板状に形成された持ち手１２と、この持ち手１２の先端部から折り返して一体形成されたガイド部１３と、この両者１２，１３間に形成された凹状の挿入溝１４と、この挿入溝１４内に配置されて前記挿入溝１４の開口部側に刃部１６が向いている切断刃１５とを備えている。
【００２８】
前記持ち手１２は、合成樹脂により構成されているとともに、図１及び図２に示すように、外周が縦断面円弧状に形成され、基端部を握って、前記紙パック１１を切断展開可能になっている。
【００２９】
前記ガイド部１３は、図３に示すように、前記紙パック１１のコーナー部１８の屈曲角度に対応した開き角度をもった横断面Ｌ字状に形成されている。具体的には、前記ガイド部１３は、前記持ち手１２の先端部の内周縁に左右方向の９０度に延設された一対の合成樹脂製のガイドプレート１９，２０により構成されている。
【００３０】
前記各ガイドプレート１９，２０は、図１〜図２に示すように、二等辺三角形状に形成さており、底辺の外周縁が接合されているとともに、一端部が前記持ち手１２の先端部の内周縁に一体的に接合され、その内周面が前記紙パック１１のコーナー部１８を挟持しつつ、その外周面に摺接可能になっている。
【００３１】
前記挿入溝１４は、図１に示すように、前記持ち手１２と前記両ガイドプレート１９，２０の接合部が溝底になっている一方、前記持ち手１２の内周面及び前記両ガイドプレート１９，２０の接合部の下端側が溝側壁になっている。この両溝側壁間Ｌは、紙パック１１の紙の厚さよりも大きく設定され、これにより前記紙パック１１のコーナー部１８の開口部を挿入可能になっている。
【００３２】
前記切断刃１５は、例えばステンレス・鋼・セラミックなどにより構成され、基端部が前記持ち手１２の先端部内に埋設されているとともに、図１〜図３に示すように、刃部１６の中央部が前記挿入溝１４の底面から露出して、前記挿入溝１４の開口部側を向いている。
【００３３】
また、前記切断刃１５の先端部は、前記両ガイドプレート１９，２０の接合部を貫通しているとともに、前記両ガイドプレート１９，２０の接合部の内周面から突出している。この突出した前記切断刃１５の先端部は、前記両ガイドプレート１９，２０の接合部のほぼ中央部に位置しているとともに、その刃部１６が前記持ち手１２の基端部側を向いている。
【００３４】
したがって、本実施形態に係るカッター１０によれば、紙パック１１を切断展開する際には、まず、図５に示すように、持ち手１２の基端部を握って、両ガイドプレート１９，２０により紙パック１１の下端部のコーナー部１８を保持しつつ、一方のガイドプレート１９の内周面を、紙パック１１の底板２１の外周面に摺接させるとともに、他方のガイドプレート２０の内周面を紙パック１１の側板２２の外周面に摺接させる。
【００３５】
このとき切断刃１５の先端部は、両ガイドプレート１９，２０の接合部の内周面から突出しているため、その刃部１６が紙パック１１の下端部におけるコーナー部１８の頂点（底板２１と側板２２との接合部）に突き刺さる。このため、持ち手１２の先端部を上から押さえながら、図５中の矢印Ｐの方向に引くと、切断刃１５の先端部の刃部１６によって、紙パック１１の底板２１と側板２２とが切断される。
【００３６】
したがって、この作業を、紙パック１１の下端部のコーナー部間（図４中のＡ〜Ｃの部分）に対して順次行うと、紙パック１１の底板２１が側板２２から切断展開され、これにより紙パック１１の下端部が開封される。
【００３７】
この結果、カッターナイフや包丁などを用いて、切型妻に形成された紙パック１１の下端部を、開封する必要がなく、これにより作業性が向上し、かつ怪我をすることなく安全確実に切断作業ができ、この点で紙パックの回収率向上に貢献する。
【００３８】
つぎに、カッター１０の持ち手１２を持って、図６に示すように、紙パック１１の開口下端部におけるコーナー部１８の頂点を、挿入溝１４内に挿入して、紙パック１１の下端開口部を、切断刃１５の中央部の刃部１６に当接させる。
【００３９】
この状態のまま、図７に示すように、持ち手１２を手前（図７中の矢印Ｑの方向）に引くと、切断刃１５の中央部の刃部１６によって、紙パック１１の左右の側板２２がコーナー部（図４中のＤの部分）の頂点に沿って垂直に切断され、これにより紙パック１１が切断展開される。
【００４０】
図８及び図９は、本発明の第２実施形態に係るカッター１０を示し、前記持ち手１２の先端部には、図８に示すように、前記切断刃１５を前後に移動させるスライド機構２３が設けられている。
【００４１】
前記スライド機構２３は、図９に前記持ち手１２の先端部内に形成された横断面コ字状の収納溝２４内に配置されている。この収納溝２４の一端部は、前記両ガイドプレート１９，２０の接合部に形成された貫通孔１７に連通している。
【００４２】
前記スライド機構２３は、図９に示すように、前記収納溝２４内に固定された横断面コ字状のスライドホルダー２５と、このスライドホルダー２５内に前後にスライド可能に配置保持された板状のスライダー２６とを備え、前記スライドホルダー２５の長手方向の長さは、前記スライダーよりも長くなっている。
【００４３】
前記スライドホルダー２５は、図９に示すように、両側壁に上端部から内側に折曲されたガイド部２７が長手方向に沿って形成されているとともに、一方のガイド部２７には、横断面円弧状の係止凹部２７ａが複数形成され、このガイド部２７内に前記切断刃１５が配置されている。
【００４４】
一方、前記スライダー２６は、縦断面Ｔ字状に形成され、板状の頭部２６ａと該頭部２６ａの底面から延設された脚部２６ｂとを有し、前記頭部２６ａの上面には、図９に示すように、スリップ防止用の摩擦溝２９が形成されている。
【００４５】
また、前記脚部２６ｂは、図９に示すように、前記スライドホルダー２５内に嵌入しているとともに、前記切断刃１５と連結されている連結部材２８が取り付けられ、両側面には前記係止凹部２７ａに係合係止する係合凸部２６ｃが複数形成されている。
【００４６】
そして、この係合凸２６ｃ部は、前記スライダー２６を前後に移動させると、その係合が解除されて次の係止部２６ａに順次係合してくものであって、これによりスライドホルダー２５内を前後にスライドさせて所定位置で固定できるようになっている。このため、前記切断刃１５は、図８に示すように、前記両ガイドプレート１９，２０の接合部に形成された前記貫通孔１７を介して、前後に移動可能になっている。
【００４７】
したがって、本実施形態に係るカッター１０によれば、必要に応じてスライダー２６を前後（図９中の矢印Ｒ方向又は矢印Ｓ方向）にスライドさせて、切断刃１５の先端部を両ガイドプレート１９，２０の接合部の貫通孔１７から自在に突出固定することができる。
【００４８】
このため、紙パックの下端部を開封する際には、スライダー２６を前方（図９中の矢印Ｒの方向）にスライドさせて、切断刃１５の先端部を両ガイドプレート１９，２０の接合部の貫通孔１７から突出させ、この突出した切断刃１５の刃部１６によって、紙パック１１の下端部の底板２１と側板２２とを切断することができる。
【００４９】
一方、紙パック１１の左右の側板２１を切断展開する際には、スライダー２６を後方（図９中の矢印Ｓの方向）にスライドさせることによって、切断刃１５の先端部を両ガイドプレート１９，２０の接合部の貫通孔１７内に収納して使用することができる。
【００５０】
すなわち、この収納状態のままで、紙パック１１の開口下端部のコーナー部１８の頂点を挿入溝１４内に挿入し、切断刃１５の中央部の刃部６によって、左右の側板２２を垂直に切断展開でき、これにより刃部１６による怪我などが防止され、作業の安全性及び作業性が一層向上する。
【００５１】
また、カッター１０を使用しないときに、スライダー２６を後方（図９中の矢印Ｓの方向）にスライドさせて、切断刃１５の先端部を両ガイドプレート１９，２０の接合部の貫通孔１７内に収納すれば、子供などがいたずらして怪我をすることが防止でき、この点でも安全性が向上する。
【００５２】
さらに、スライダー２６は、上面にスリップ防止用の摩擦溝２９が形成されているため、その上面の摩擦抵抗が向上し、これによりスライダー２６を前後（図９中の矢印Ｒ又は矢印Ｓ方向）に容易に移動させることができる。
【００５３】
図１０〜図１７は、前記カッターを収納するホルダー３０を示し、このホルダー３０は、縦断面凹状に形成され、図１０〜図１２に示すように、長方形状に形成された背板３１と、この背板３１の正面側の下端部から垂直に延設された底板３２と、この底板３２の外周縁に周設された周板３３とを有し、この三者３１，３２，３３間には、図１３に示すように、前記カッター１０を先端部側から収納可能な収納部３７を有している。
【００５４】
前記背板３１の背面には、例えば磁石・両面テープ・吸盤などの固着部材３４が取り付けられ、これにより前記ホルダー３０を冷蔵庫・流し台などに固着可能になっている。
【００５５】
一方、前記収納部３７は、図１３に示すように、前記両ガイドプレート１９，２０を収納保持する保持部３５と、この保持部３５から折曲形成されて前記持ち手１２の先端部を収納固定する固定部３６とにより構成されている。
【００５６】
そして、前記保持部３５の周壁３３高さは、図１２に示すように、前記両ガイドプレート１９，２０の上端部から前記挿入溝１４の溝までの距離よりも小さく設定され、これにより収納時に前記挿入溝１４の溝底に配置された刃面１６が保持部３５の上端面から露出するようになっている。
【００５７】
したがって、このようなホルダー３０によれば、カッター１０を収納する際には、背板３１を固着部材３４によって、台所の冷蔵庫や流し台などに固着し、その後、カッター１０を、図１４に示すように、先端部を下側にした状態で、上方から収納部３７に向かって挿入して、両ガイドプレート１９，２０の上端側を保持部３５内に収納保持する一方、持ち手１２の先端部を固定部３６に収納固定する。
【００５８】
このとき挿入溝１４の溝底に配置された切断刃１５が、保持部３５の上端面から露出しているため、図１５〜図１７に示すように、上端部がテープなどによって閉じられたポリ袋，紐，両端部が密封固着された容器（例えば即席ラーメンの収納容器）などを切断開封できる。
【００５９】
したがって、ホルダー３０を使用すれば、カッター１０を多機能的に使用することができ、台所などに多種多様な切断用具を用意しておく必要がなく、この点で、コストが抑制される。
【００６０】
なお、本発明は、上記実施形態に限定されるものではなく、例えば二つ切断刃を用いて、両切断刃の基端部を、前記持ち手１２の先端部の内周面に埋設し、第１の切断刃の先端を前記挿入溝１４内に配置させている一方、第２の切断刃の先端を前記両ガイドプレート１９，２０の接合部の内周面から突出させることもできる。このときの両切断刃の刃部は、いずれも前記挿入溝１４の開口部側を向いて配置させる。
【００６１】
また、前記両ガイドプレート１９，２０の開き角度は、必ずしも９０度に限定されるものではなく、紙パック１１のコーナー部の角度に応じて任意に変更することができる。例えば、三角錐状の紙パック１１に対して使用する場合には、前記両ガイドプレート１９，２０の左右方向の開き角度を６０度に設定可能である。
【００６２】
また、本発明の前記カッター１０の前記持ち手１２及び前記両ガイドプレート１９，２０の形状には、種々多様なものが考えられる。
【００６３】
例えば、図１５に示すように、持ち手１２を半円形状に形成することができ、また、図１６に示すように、両ガイドプレート１９，２０を矢印状に形成することもでき、さらに、図１７に示すように、両ガイドプレート１９，２０を台形状に形成することもできる。
【００６４】
この場合には、前記ホルダー３０の保持部３５及び固定部３６の形状は、いずれも前記持ち手１２及び前記両ガイドプレート１９，２０の形状に対応して形成される。
【００６５】
更に、本発明に係るカッターは、その切断展開をおこなう対象物にの大きさに合わせてその大きさに変更を加えることも可能であるため、例えば、ダンボール箱を切断展開する際にも使用可能である。
【００６６】
【発明の効果】
以上の説明で明らかなように、請求項１〜３記載の発明によれば、持ち手の先端部を上から押さえながら、手前に引くと切断刃の先端部の刃部によって、紙パックの上板又は底板と側板とが順次切断されていくため、紙パックの底板が側板から切断展開され、これにより紙パックの下端部が開封される。
【００６７】
したがって、カッターナイフや包丁などを用いて、切型妻に形成された紙パックの下端部を、開封する必要がなく、これにより作業性が向上し、かつ切断時に怪我をすることなく安全に作業ができ、この点で紙パックの回収率向上に貢献する。
【００６８】
請求項４及び５記載の発明によれば、必要に応じて切断刃の先端部を両ガイドプレートの接合部の貫通孔から自在に突出可能なため、カッターを使用しないときや、紙パックの左右の側板を切断展開するときになどには、これを両ガイドプレートの接合部の貫通孔内に収納することができる。したがって、切断刃の刃部による怪我などが防止され、これにより作業の安全性及び作業性が一層向上する。
【００６９】
請求項６記載の発明によれば、スライダーの上面にスリップ防止用の摩擦溝が形成されているため、その上面の摩擦抵抗が向上し、これによりスライダーを前後に容易に移動させることができる。
【００７０】
請求項７記載によれば、挿入溝の底面に配置された切断刃が、保持部の上端面から露出しているため、紙パック以外の所定の容器や紐などを切断開封でき、これによりカッターを多機能的に使用できる。したがって、台所などに多種多様な切断用具を用意しておく必要がなく、この点でコストが抑制される。
【００７１】
請求項８記載の発明によれば、固着部材によってホルダーを台所の冷蔵庫や流し台などに固着可能なため、ここに固着した状態でカッターを多機能に使用できる。
【図面の簡単な説明】
【図１】  本発明の第１実施形態に係るカッターの側面図。
【図２】  同底面図。
【図３】  同正面図
【図４】  紙パックの斜視図。
【図５】  紙パックの切断状態を示す第１斜視図。
【図６】  同第２斜視図。
【図７】  同第３斜視図。
【図８】  本発明の第２実施形態に係るカッターの斜視図。
【図９】  （ａ）は図８のＡ―Ａ部拡大図、（ｂ）はスライド機構の拡大図、（ｃ）はスライダーの横断面図。
【図１０】  本発明の実施形態に係るカッターに供されるホルダーの正面図。
【図１１】  同背面図。
【図１２】  同側面図。
【図１３】  図１２のＢ―Ｂ線断面図。
【図１４】  カッターをホルダーに収納する状態を示す斜視図。
【図１５】  カッターをホルダーに収納して切断する状態を示す第１斜視図。
【図１６】  同第２斜視図。
【図１７】  同第３斜視図。
【図１８】  カッターの持ち手の他例を示す斜視図。
【図１９】  同両ガイドプレートの他例を示す第１斜視図。
【図２０】  同第２斜視図。
【図２１】  従来例の側面図。
【符号の説明】
１０…カッター
１２…持ち手
１３…ガイド部
１４…挿入溝
１５…切断刃
１６…刃部
１７…貫通孔
１９…ガイドプレート
２０…ガイドプレート
２３…スライド機構
２４…収納溝
２５…スライドホルダー
２６…スライダー
３０…ホルダー
３１…背板
３２…底板
３３…周板
３４…固着部材
３５…保持部
３６…固定部
３７…収納部
【図１】
0004767449.tif 000002
【図２】
0004767449.tif 000003
【図３】
0004767449.tif 000004
【図４】
0004767449.tif 000005
【図５】
0004767449.tif 000006
【図６】
0004767449.tif 000007
【図７】
0004767449.tif 000008
【図８】
0004767449.tif 000009
【図９】
0004767449.tif 000010
【図１０】
0004767449.tif 000011
【図１１】
0004767449.tif 000012
【図１２】
0004767449.tif 000013
【図１３】
0004767449.tif 000014
【図１４】
0004767449.tif 000015
【図１５】
0004767449.tif 000016
【図１６】
0004767449.tif 000017
【図１７】
0004767449.tif 000018
【図１８】
0004767449.tif 000019
【図１９】
0004767449.tif 000020
【図２０】
0004767449.tif 000021
【図２１】
0004767449.tif 000022